(57)【要約】  【目的】  無線ＬＡＮ通信に必要なネットワーク設定情報を比較的簡単に設定する。  【構成】  プリンタ装置１には，Ir通信情報が記憶されている。このIr通信情報には，無線ＬＡＮで通信するのに必要なネットワーク情報が含まれている。プリンタ装置１からディジタル・スチル・カメラ30にIr通信情報が指向性のある赤外通信で送信され，ディジタル・スチル・カメラ30に記憶される。Ir通信情報を用いてディジタル・スチル・カメラ30とプリンタ装置１とが無指向性の無線ＬＡＮによって通信可能となる。無線ＬＡＮ通信によって画像データがディジタル・スチル・カメラ30からプリンタ装置１に送信される。プリンタ装置１において，画像データによって表される画像がプリントされる。  【選択図】  図２
2005150895.tif 000002
【特許請求の範囲】
【請求項１】
ネットワーク設定情報設定装置と携帯型電子装置とを含むネットワーク設定情報設定システムにおいて，
上記ネットワーク設定情報設定装置が，
無指向性の無線通信に用いられるネットワーク設定情報を入力する入力手段，および
上記入力手段から入力されたネットワーク設定情報を表すデータを，指向性を有する無線通信によって上記携帯型電子装置に送信する指向性無線通信手段を備え，
上記携帯型電子装置が，
上記ネットワーク情報設定装置の上記指向性無線通信手段から無線送信されるネットワーク設定情報データを受信する受信手段，および
上記受信手段によって受信したネットワーク設定情報データによって表されるネットワーク設定情報にもとづいて，無指向性の無線通信を行う無指向性無線通信手段，
を備えたネットワーク設定情報設定システム。
【請求項２】
上記携帯型電子装置の無指向性無線通信手段は，
上記受信手段によって受信したネットワーク設定情報データによって表されるネットワーク設定情報にもとづいて，上記ネットワーク設定情報設定装置と無指向性の無線通信を行うものである，
請求項１に記載のネットワーク設定情報設定システム。
【請求項３】
上記ネットワーク設定情報設定装置が，
上記指向性無線通信手段からネットワーク設定情報データを送信するごとに，上記入力手段から入力されたネットワーク設定情報の少なくとも一部を変更する変更手段を備えている，
請求項１に記載のネットワーク設定情報設定システム。
【請求項４】
上記ネットワーク設定装置が一のディジタル・スチル・カメラであり，
上記携帯型電子装置が他のディジタル・スチル・カメラであり，
上記一のディジタル・スチル・カメラが，画像データの送信指令を上記他のディジタル・スチル・カメラに送信する送信手段をさらに備え，
上記他のディジタル・スチル・カメラの上記無指向性無線通信手段が，上記一のディジタル・スチル・カメラの上記送信手段から送信された送信指令に応答して，画像データを上記一のディジタル・スチル・カメラに無指向性の無線通信により送信するものである，
請求項１に記載のネットワーク設定情報設定システム。
【請求項５】
無指向性の無線通信に用いられるネットワーク設定情報を入力する入力手段，および
上記入力手段から入力されたネットワーク設定情報を表すデータを，指向性を有する無線通信によって上記携帯型電子装置に送信する指向性無線通信手段，
を備えたネットワーク設定情報設定装置。
【請求項６】
ネットワーク設定情報設定装置から指向性の無線により送信されるネットワーク設定情報データを受信する受信手段，および
上記受信手段によって受信したネットワーク設定情報データによって表されるネットワーク設定情報にもとづいて，無指向性の無線通信を行う無指向性無線通信手段，
を備えた携帯型電子装置。
【請求項７】
無指向性の無線通信に用いられるネットワーク設定情報を入力する入力手段を設け，
上記入力手段から入力されたネットワーク設定情報を表すデータを，指向性を有する無線通信によって上記携帯型電子装置に送信する，
ネットワーク設定情報設定装置の制御方法。
【請求項８】
ネットワーク設定情報設定装置から指向性の無線により送信されるネットワーク設定情報データを受信し，
受信したネットワーク設定情報データによって表されるネットワーク設定情報にもとづいて，無指向性の無線通信を行う，
携帯型電子装置の制御方法。
【発明の詳細な説明】
【技術分野】
【０００１】
この発明は，ネットワーク設定情報設定システム，このシステムを構成するネットワーク設定情報設定装置および携帯型電子装置，ならびにこれらの制御方法に関する。
【背景技術】
【０００２】
データ通信を行うものとして，高速通信と低速通信とを利用するものがある。このようなデータ通信方式においては，無人での自動受信を行うことができるような工夫が行われている（特許文献１，２参照）。
【特許文献１】特開平５−83508号公報
【特許文献２】特開平５−236232号公報
【０００３】
これらの通信方式においては，通信に必要な情報が設定されていることが前提とされており，どのようにして設定するかについては言及されていない。とくに，無指向性の無線通信を行う場合には，通信に必要な情報を設定する必要がある。パーソナル・コンピュータのようにキーボードをもつものであれば，そのキーボードを用いて通信に必要な情報を設定することができる。しかしながら，ディジタル・スチル・カメラのようにキーボードがなく，設けられているキー類が少ない場合には，通信に必要な情報を入力することは難しい。
【発明の開示】
【０００４】
この発明は，比較的簡単に通信に必要な情報を設定することを目的とする。
【０００５】
この発明は，ネットワーク設定情報設定装置と携帯型電子装置とを含むネットワーク設定情報設定システムについてのものである。
【０００６】
上記ネットワーク設定情報設定装置は，無指向性の無線通信に用いられるネットワーク設定情報を入力する入力手段，および上記入力手段から入力されたネットワーク設定情報を表すデータを，指向性を有する無線通信によって上記携帯型電子装置に送信する指向性無線通信手段を備えている。
【０００７】
上記携帯型電子装置は，上記ネットワーク情報設定装置の上記指向性無線通信手段から無線送信されるネットワーク設定情報データを受信する受信手段，および上記受信手段によって受信したネットワーク設定情報データによって表されるネットワーク設定情報にもとづいて，無指向性の無線通信を行う無指向性無線通信手段を備えている。
【０００８】
上記ネットワーク設定情報設定システムを構成するネットワーク設定情報設定装置と上記携帯型電子装置とをそれぞれ単独で構成してもよい。
【０００９】
また，この発明は，上記設定情報設定装置の制御方法も提供している。すなわち，この方法は，無指向性の無線通信に用いられるネットワーク設定情報を入力する入力手段を設け，上記入力手段から入力されたネットワーク設定情報を表すデータを，指向性を有する無線通信によって上記携帯型電子装置に送信するものである。
【００１０】
さらに，この発明は，上記携帯型電子装置の制御方法も提供している。すなわち，この方法は，ネットワーク設定情報設定装置から指向性の無線により送信されるネットワーク設定情報データを受信し，受信したネットワーク設定情報データによって表されるネットワーク設定情報にもとづいて，無指向性の無線通信を行うものである。
【００１１】
この発明によると，上記ネットワーク設定情報設定装置の入力手段から無指向性の無線通信に用いられるネットワーク設定情報が入力される。入力されたネットワーク設定情報を表すデータが指向性を有する無線通信（たとえば，赤外線通信）によって上記携帯電話に送信される。
【００１２】
上記ネットワーク設定情報設定装置の指向性無線通信手段から送信されたネットワーク設定情報データが，上記携帯型電子装置において受信される。受信されたネットワーク設定情報データによって表されるネットワーク設定情報にもとづいて，無指向性の無線通信（たとえば，IEEE802.11a，IEEE802.11b，IEEE802.11cなど）が行われる。
【００１３】
この発明によると，携帯型電子装置にキーボードなどの入力手段が無くとも無指向性の無線通信を行うためのネットワーク設定情報を設定でき，ネットワーク設定情報にもとづいて無指向性の無線通信を行うことができるようになる。もっとも，携帯型電子装置にキーボードなどの入力手段が備えられている場合にも，この発明を適用できるのはいうまでもない。
【００１４】
上記携帯型電子装置の無指向性無線通信手段は，たとえば，上記受信手段によって受信したネットワーク設定情報データによって表されるネットワーク設定情報にもとづいて，上記ネットワーク設定情報設定装置と無指向性の無線通信を行うものである。
【００１５】
上記ネットワーク設定情報設定装置は，上記指向性無線通信手段からネットワーク設定情報データを送信するごとに，上記入力手段から入力されたネットワーク設定情報の少なくとも一部を変更する変更手段を備えていることが好ましい。
【００１６】
ネットワーク設定情報データを送信するごとに，ネットワーク設定情報の少なくとも一部が変更させられ（たとえば，WEP KEYを時刻にもとづいて発生する乱数にする），次にネットワーク設定情報データが送信される場合には，以前に送信されたものとは異なるネットワーク設定情報データが送信されることとなる。以前に設定されたネットワーク設定情報を用いて再度無指向性の無線通信を行うことはできないので，設定されたネットワーク設定情報を用いて不正に無指向性の無線通信を行うことを未然に防止できる。
【００１７】
上記ネットワーク設定装置は，たとえば，一のディジタル・スチル・カメラであり，上記携帯型電子装置は，たとえば，他のディジタル・スチル・カメラである。この場合，上記一のディジタル・スチル・カメラが，画像データの送信指令を上記他のディジタル・スチル・カメラに送信する送信手段をさらに備える。そして，上記他のディジタル・スチル・カメラの上記無指向性無線通信手段が，上記一のディジタル・スチル・カメラの上記送信手段から送信された送信指令に応答して，画像データを上記一のディジタル・スチル・カメラに無指向性の無線通信により送信する。一のディジタル・スチル・カメラと他のディジタル・スチル・カメラとの間で無指向性の無線通信を利用して画像データの送受信が可能となる。ディジタル・スチル・カメラ間で画像データの交換ができるようになる。
【実施例】
【００１８】
図１は，この発明の実施例を示すもので，プリンタ・システム（ネットワーク設定情報設定システム）を使用するユーザの様子を示している。図２は，プリンタ・システムの概要を示している。
【００１９】
この実施例によるプリンタ・システムは，ディジタル・スチル・カメラ30に記録されている画像データによって表される画像をプリンタ装置１を用いてプリントするものである。
【００２０】
プリンタ・システムには，プリンタ装置１とディジタル・スチル・カメラ30とが含まれている。プリンタ装置１およびディジタル・スチル・カメラ30はいずれも指向性の無線通信である赤外通信と無指向性の無線通信である無線ＬＡＮ（Local Area Network）にもとづく通信とが可能なものである。無指向性の無線通信を行う場合には，無指向性の無線通信の設定を行う必要がある。このために，この実施例においては後述するように，プリンタ装置１からディジタル・スチル・カメラ30に無指向性の無線通信用のネットワーク設定情報（Ir通信情報）が赤外通信を利用して送信される。このネットワーク設定情報の送信後にディジタル・スチル・カメラ30からプリンタ装置１に画像データが送信される。プリンタ装置１において，画像データによって表される画像がプリントされる。
【００２１】
プリンタ・システムを利用するユーザＵは，ディジタル・スチル・カメラ30を持参してプリンタ装置１の前に立って，上述したネットワーク設定情報の送信，画像データの送信等が行われる。
【００２２】
プリンタ装置１の前面の上方には，表示画面２が設けられている。この表示画面２の下方には，ユーザＵがプリンタ装置１の前面に立ったことを検知するための検知センサ３が設けられている。また，この検知センサ３の下には，赤外通信のための通信ポート４および無線ＬＡＮのための通信ポート５が形成されている。これらのポート４および５の右側には，メモリ・カードの挿入口６が形成されている。
【００２３】
プリンタ装置１の前面のほぼ中央の右側には，コイン投入口７が形成されている。また，プリンタ装置１の前面の下方には，コイン返却口８およびプリント放出口９が形成されている。
【００２４】
プリンタ装置１に形成されている通信ポート４を利用して，プリンタ装置１からディジタル・スチル・カメラ30にネットワーク設定情報が指向性のある赤外通信によって送信される。また，プリンタ装置１に形成されている通信ポート５を利用して，ディジタル・スチル・カメラ30からプリンタ装置１に画像データが無指向性の無線LAN通信によって送信される。
【００２５】
図３は，プリンタ装置１の電気的構成を示すブロック図である。
【００２６】
プリンタ装置１の全体の動作は，ＣＰＵ12によって統括される。
【００２７】
プリンタ装置１には，ディジタル・スチル・カメラ30から送信された画像データによって表される画像をプリントするプリント・エンジン11，ディジタル・スチル・カメラ30から送信された画像データその他のデータを一時的に記憶するメモリ13，上述した表示画面２を有する表示装置14，表示画面２上に形成されているタッチ・パネル15および検知センサ３が含まれている。
【００２８】
また，プリンタ装置１には，上述した赤外線通信ポート４を有する赤外通信装置17，赤外通信装置17を接続するための赤外通信インターフェイス16，メモリ・カード挿入口６に挿入されたメモリ・カード19に記録されている画像データを読み取る，および画像データをメモリ・カード19に書き込むためのメモリ・カード・インターフェイス18，上述した無線ＬＡＮの無線通信ポート５を有する無線ＬＡＮ装置21，および無線ＬＡＮ装置21を接続するための外部通信インターフェイス20を備えている。
【００２９】
さらに，プリンタ装置１には，赤外通信によりディジタル・スチル・カメラ30に送信するIr通信情報を記憶しているIr通信情報保持メモリ22が含まれている。Ir通信情報は，タッチ・パネル15を用いてプリンタ装置１のオペレータによって入力されよう。また，プリンタ装置１には，コイン・マシン23が含まれている。さらに，プリンタ装置１には，乱数発生装置24を設けるようにしてもよい。乱数発生装置24により発生した乱数が，後述するようにWEP（Wired Equivalent Privacy） KEYとなる。
【００３０】
図４は，Ir通信情報の一例である。
【００３１】
Ir通信情報は，無線ＬＡＮ通信に用いられるネットワーク設定情報とその他の通信情報とから構成されている。ネットワーク設定情報は，ESSID（Enhanced Service Set ID）とWEP KEYである。ESSIDは，無線ＬＡＮ通信の識別に用いられるものである。同じESSIDをもつアクセス・ポイント，端末装置で通信が可能となるものである。WEP KEYは，無線ＬＡＮのセキュリティに使用するものである。Ir通信情報に含まれるネットワーク設定情報以外のその他の情報には，MODE，PRINTER IP（プリンタ装置１のIPアドレス），CAMERA IP（ディジタル・スチル・カメラ30のIPアドレス）およびNETMASKがある。
【００３２】
図５は，ディジタル・スチル・カメラ30の電気的構成を示すブロック図である。
【００３３】
ディジタル・スチル・カメラ30の全体の動作は，ＣＰＵ33によって統括される。
【００３４】
ディジタル・スチル・カメラ30には，被写体を撮像し，被写体像を表す映像信号を出力する撮像素子31および撮像素子31から出力された映像信号に，ガンマ補正，白バランス補正，アナログ／ディジタル変換処理などの所定の信号処理を行う信号処理回路32が含まれている。また，ディジタル・スチル・カメラ30には，データを一時的に記憶するメモリ34，撮像によって得られた画像を表示するための液晶表示装置35が含まれている。さらに，ディジタル・スチル・カメラ30には，プリンタ装置１から送信されたIr通信情報を表すデータを記憶するIr通信情報保持メモリ36が含まれている。
【００３５】
上述したように，ディジタル・スチル・カメラ30には，プリンタ装置１と赤外通信するための赤外通信装置38および赤外通信装置38用の赤外通信インターフェイス37が含まれている。また，ディジタル・スチル・カメラ30には，撮像によって得られた画像データを記録するメモリ・カード40およびメモリ・カード40に画像データを記録する，およびメモリ・カード40に記録されている画像データを読み取るためのメモリ・カード・インターフェイス39が含まれている。ディジタル・スチル・カメラ30には，プリンタ装置１およびその他のアクセス・ポイント（図示略）と無線ＬＡＮ通信するための無線ＬＡＮ装置42を接続するための外部通信インターフェィス41が含まれている。
【００３６】
ディジタル・スチル・カメラ30には，さらに，ストロボ発光装置44およびストロボ発光装置44の発光を制御するストロボ制御回路43ならびに上下左右の矢印が押下可能に円し集上に形成され，所定の指令を与えるための十字キー45が含まれている。
【００３７】
図６および図７は，ディジタル・スチル・カメラ30とプリンタ装置１との通信処理手順を示すフローチャートである。
【００３８】
まず，プリンタ装置１を用いてプリントを行うべきユーザＵがディジタル・スチル・カメラ30を持参して，プリンタ装置１の前に立つ。すると，プリンタ装置１の検知センサ３によってユーザが立っていることが検知される（図６ステップ61）。プリンタ装置１のIr通信情報保持メモリ22に記憶されているIr通信情報データが読み出され，赤外通信装置17を用いてディジタル・スチル・カメラ30にIr通信情報データが送信される（図６ステップ62）。
【００３９】
ディジタル・スチル・カメラ30の赤外通信装置38によって赤外通信が開始され（図６ステップ51），Ir通信情報データが受信される（図６ステップ52）。受信したIr通信情報データがディジタル・スチル・カメラ30のIr通信情報保持メモリ36に記憶される（図６ステップ53）。
【００４０】
その後，一定時間が経過すると，プリンタ装置１からディジタル・スチル・カメラ30に対してESSIDおよびWEP KEYを用いた無線ＬＡＮ通信が開始する（図６ステップ63）。プリンタ装置１とディジタル・スチル・カメラ30との間で無線ＬＡＮ通信が確立しなければ（図６ステップ64でＮＯ），その旨がユーザに報知され所定のエラー処理が行われる（図６ステップ65）。プリンタ装置１とディジタル・スチル・カメラ30との間で無線ＬＡＮ通信が確立すると（図６ステップ64でＹＥＳ），プリンタ装置１からディジタル・スチル・カメラ30にサムネイル画像データの送信指令が無線ＬＡＮ通信によって（赤外通信を用いてもよい）ディジタル・スチル・カメラ30に送信される。
【００４１】
プリンタ装置１から送信されたサムネイル画像データの送信指令が，ディジタル・スチル・カメラ１において受信されると，メモリ・カード40に記録されているサムネイル画像データ（あらかじめ生成されており，メモリ・カード40に記録されているのはいうまでもない）が読み出される。読み出されたサムネイル画像データがプリンタ装置１に赤外通信によって送信される（図７ステップ54）。送信先であるプリンタ装置１には，ＩＰアドレス（PRINTER IP）を利用して画像データ（サムネイル画像データ，後述する元画像データ）が無線ＬＡＮによって送信される。
【００４２】
赤外通信によってディジタル・スチル・カメラ30から送信されたサムネイル画像データがプリンタ装置１において受信されると（図７ステップ66），サムネイル画像データによって表されるサムネイル画像の一覧がプリンタ装置１の表示画面２上に表示される（図７ステップ67）。サムネイル画像の一覧の中から，プリントすべき画像（元画像という）に対応するサムネイル画像がユーザＵによって選択される（サムネイル画像上がタッチされる）（図７ステップ68でＹＥＳ）。選択されたサムネイル画像を識別するためのデータ（たとえば，ファイル名を表すデータ）および元画像の送信指令が赤外通信（または無線ＬＡＮ通信）によってプリンタ装置１からディジタル・スチル・カメラ30に送信される（図７ステップ69）。
【００４３】
プリンタ装置１から送信され，選択されたサムネイル画像の識別データおよび元画像の送信指令がディジタル・スチル・カメラ30において受信されると，対応する元画像データがメモリ・カード40から読み出され，無線ＬＡＮ通信によってプリンタ装置１に送信される（図７ステップ55）。
【００４４】
ディジタル・スチル・カメラ30から無線ＬＡＮによって送信された元画像データがプリンタ装置１において受信されると（図７ステップ70），元画像データによって表される元画像がプリント・エンジン11によってプリントされる（図７ステップ71）。
【００４５】
以上のようにして，ディジタル・スチル・カメラ30のように，キー類の少ない携帯型電子装置であってもネットワーク設定情報を設定でき無指向性の無線ＬＡＮ通信が可能となる。
【００４６】
上述した実施例においては，Ir通信情報（ネットワーク設定情報）をディジタル・スチル・カメラ30に送信する装置とディジタル・スチル・カメラ30から送信されたサムネイル画像データおよび元画像データを受信する装置とが同じプリンタ装置１であったが，Ir通信情報（ネットワーク設定情報）をディジタル・スチル・カメラ30に送信する装置とディジタル・スチル・カメラ30から送信されたサムネイル画像データおよび元画像データを受信する装置とが別々の装置であってもよい。
【００４７】
図８は，Ir通信情報の他の例を示している。
【００４８】
図４に示すIr通信情報では，ネットワーク設定情報のうちWEP KEYは，乱数発生回路24によって生成された乱数（aazr7rc9d4jpw）が用いられている。プリンタ装置１の前にユーザＵが立ったことが検知されることにより，乱数が発生する。発生した乱数がネットワーク情報を構成するWEP KEYとしてプリンタ装置１からディジタル・スチル・カメラ30に送信される。乱数は，たとえば，プリンタ装置１の前にユーザが立ったことを検知した時刻が利用される。
【００４９】
ネットワーク情報のWEP KEYに，その時々に発生する乱数が利用されるので，ネットワーク設定情報が一度設定されたディジタル・スチル・カメラであっても，その設定時から後に再びプリンタ装置１との間で無線ＬＡＮ通信をすることはできなくなる。不正利用を未然に防止できるとともに，プリンタ装置が複数台あり，無線ＬＡＮ通信しようとするユーザが複数ある場合に，混信を防ぐことができる。
【００５０】
上述した実施例は，プリンタ装置１とディジタル・スチル・カメラ30との間で無線ＬＡＮ通信を行い，画像をプリントするものであったが，ディジタル・スチル・カメラ同士で画像データを無線ＬＡＮ通信し，画像データの交換を行うこともできる。
【００５１】
図９は，ディジタル・スチル・カメラ同士で無線ＬＡＮを用いて画像データの交換を行う場合のシステムの概要である。図10は，Ir通信情報の一例である。
【００５２】
図９を参照して，一方のディジタル・スチル・カメラＡおよびＢのいずれも図５に示すような電気的構成を有し，赤外通信および無線ＬＡＮ通信ができるものである。ディジタル・スチル・カメラＢに記憶されている画像データをディジタル・スチル・カメラＡに送信する場合について説明する。
【００５３】
一方のディジタル・スチル・カメラＡにはIr通信情報が記憶されている。このIr通信情報は，上述したように，Ir通信情報を入力できるキー類が設けられている装置から赤外通信を利用して一方のディジタル・スチル・カメラＡに記憶させることができる。
【００５４】
上述したように，ディジタル・スチル・カメラＡからディジタル・スチル・カメラＢにIr通信情報が赤外通信によって送信される。
【００５５】
図10を参照して，Ir通信情報には，上述したようにネットワーク設定情報であるESSIDおよびWEP KEYが含まれている。図10に示す例では，図４に示す例とは異なり，PRINTER IDおよびCAMERA IDの代わりにMY IP（ディジタル・スチル・カメラＡのＩＰアドレス）およびYOUR IP（ディジタル・スチル・カメラＢのＩＰアドレス）がIr通信情報に含まれている。Ir通信情報にはMODEおよびNETMASKも含まれているのはいうまでもない。
【００５６】
図９に戻って，一方のディジタル・スチル・カメラＡから送信されたIr通信情報がディジタル・スチル・カメラＢにおいて受信されると，上述したように，ディジタル・スチル・カメラＢのIr通信情報保持メモリに，受信されたIr通信情報が記憶される。ディジタル・スチル・カメラＢとディジタル・スチル・カメラＡとの間で無線ＬＡＮ通信ができるようになる。すると，上述したように，ディジタル・スチル・カメラＢのメモリ・カードに記憶されているサムネイル画像データがディジタル・スチル・カメラＡに無線ＬＡＮによって送信される。送信先であるディジタル・スチル・カメラＡには，ＩＰアドレス（MY IP）を利用して無線ＬＡＮ通信されるのはいうまでもない。
【００５７】
ディジタル・スチル・カメラＡの液晶表示画面には，サムネイル画像データによって表されるサムネイル画像が一覧で表示される。ディジタル・スチル・カメラＡのユーザは，一覧表示されたサムネイル画像の中から所望のサムネイル画像を選択する。選択されたサムネイル画像の識別データがディジタル・スチル・カメラＡからディジタル・スチル・カメラＢに送信される。すると，識別データによって特定される元画像データがディジタル・スチル・カメラＢからディジタル・スチル・カメラＡに無線ＬＡＮを利用して送信される。
【００５８】
以上のようにして，ディジタル・スチル・カメラ同士（ディジタル・ムービ・カメラ同士）で無線ＬＡＮを利用して画像データの交換を行うことができる。
【図面の簡単な説明】
【００５９】
【図１】プリンタ・システムの使用例を示している。
【図２】プリンタ・システムの概要である。
【図３】プリンタ装置の電気的構成を示すブロック図である。
【図４】Ir通信情報の一例である。
【図５】ディジタル・スチル・カメラの電気的構成を示すブロック図である。
【図６】ディジタル・スチル・カメラとプリンタ装置との処理手順の一部を示すフローチャートである。
【図７】ディジタル・スチル・カメラとプリンタ装置との処理手順の一部を示すフローチャートである。
【図８】Ir通信情報の一例である。
【図９】他の実施例を示すもので，ディジタル・スチル・カメラ同士で画像データを交換する場合の概要を示している。
【図１０】Ir通信情報の一例である。
【符号の説明】
【００６０】
１  プリンタ装置（ネットワーク設定情報設定装置）
２  表示画面
３  検知センサ
４  赤外通信ポート
５  無線ＬＡＮポート
12，33  ＣＰＵ
14  表示装置（入力手段）
15  タッチ・パネル（入力手段）
16，37  赤外通信インターフェイス
17，38  赤外通信装置（指向性無線通信手段）
20，41  外部通信インターフェイス
21，42  無線ＬＡＮ装置（無指向性無線通信手段）
23，36  Ir通信情報保持メモリ
24  乱数発生回路
30，Ｂ  ディジタル・スチル・カメラ（携帯型電子装置）
Ａ  ディジタル・スチル・カメラ（ネットワーク設定情報設定装置）
Ｕ  ユーザ
【図１】
2005150895.tif 000003
【図２】
2005150895.tif 000004
【図３】
2005150895.tif 000005
【図４】
2005150895.tif 000006
【図５】
2005150895.tif 000007
【図６】
2005150895.tif 000008
【図７】
2005150895.tif 000009
【図８】
2005150895.tif 000010
【図９】
2005150895.tif 000011
【図１０】
2005150895.tif 000012